(57)【特許請求の範囲】
【請求項１】
燃焼装置と熱交換器とを備え前記熱交換器と放熱器とを循環回路にて温水を循環可能に接続した温水循環式ボイラに於いて、前記放熱器の下流側に放熱器で放熱した温水の温度を検知する戻り温度センサを備え、該戻り温度センサが前記熱交換器に結露が発生する第１の所定温度以下を所定時間継続して検知した場合に前記燃焼装置の燃焼量を一段階増加し、戻り温度センサが検知する温度が前記第１の所定温度より高い第２の所定温度以上を所定時間継続して検知するまで、所定時間経過する毎に燃焼装置の燃焼量を一段階増加することを特徴とする温水循環式ボイラの結露防止制御装置。
【請求項２】
戻り温度センサが検知する温度が前記第１の所定温度より高い第２の所定温度以上を所定時間継続して検知した時、戻り温度センサが検知する温度が第２の所定温度以下を所定時間継続して検知するまで、所定時間経過する毎に燃焼装置の燃焼量を一段階減少させることを特徴とする請求項１記載の温水循環式ボイラの結露防止制御装置。
【請求項３】
燃焼装置と熱交換器とを備え前記熱交換器と放熱器とを循環回路にて温水を循環可能に接続し、前記熱交換器下流での往き温水の目標温度を設定する往き温水温度設定手段と、前記熱交換器の下流側に前記熱交換器から流出する往き温水の温度を検知する往き温度センサとを備え、前記往き温度センサで検知する温水温度が往き温水温度設定手段で設定された目標温度になるよう燃焼量を可変するようにした温水循環式ボイラに於いて、前記放熱器の下流側に放熱器で放熱した温水の温度を検知する戻り温度センサを備え、該戻り温度センサが前記熱交換器に結露が発生する第１の所定温度以下を所定時間継続して検知した場合に前記往き温水温度設定手段で設定された目標温度を所定温度増加させると共に、温水を循環させる循環ポンプの回転数を増加し、戻り温度センサが検知する温度が前記第１の所定温度より高い第２の所定温度以上を所定時間継続して検知するまで、所定時間経過する毎に往き温水温度の目標温度を所定温度増加させると共に、循環ポンプの回転数を増加することを特徴とする温水循環式ボイラの結露防止制御装置。
【請求項４】
戻り温度センサが検知する温度が前記第１の所定温度より高い第２の所定温度以上を所定時間継続して検知した時、戻り温度センサが検知する温度が第２の所定温度以下を所定時間継続して検知するまで、所定時間経過する毎に往き温水温度の目標温度を所定温度減少させると共に、循環ポンプの回転数を元に戻すことを特徴とする請求項３記載の温水循環式ボイラの結露防止制御装置。
【発明の詳細な説明】
【０００１】
【発明の属する技術分野】
本発明は温水循環式ボイラに関し、熱交換器の結露発生の防止を図ったものである。
【０００２】
【従来の技術】
従来よりこの種の温水循環式ボイラに於いては、燃焼装置と熱交換器を持つボイラと放熱器による温水の循環回路を備えたものであるが、放熱器の負荷が大きくなると熱交換器へ戻ってくる温水の温度が２０℃程度まで低下してしまうことがあり、この場合熱交換器で燃焼ガスを急冷してしまい熱交換面に結露が発生してしまう欠点があった。特に燃焼量が小さい場合には結露の発生が頻繁に起こり易く、熱交換器に結露が発生した状態で長時間運転を継続すると燃焼装置や熱交換器の破損や腐触を引き起こすものであった。
【０００３】
これを解決するため従来の温水循環式ボイラに於いては、例えば特開平５−１９５５０８号公報に開示されているように、燃焼装置と熱交換器を持つボイラと融雪用放熱器による温水の密閉循環回路を備えたものに於いて、温水の往き管と戻り管の間にバイパス管を設け、往き管に融雪用放熱器側から熱交換器に戻ってくる温水温度が低いときに閉止側へ動作する流量調節弁装置を設け、この流量調節弁装置の閉止動作によりバイパス管から戻り管へ高温の往き管の温水を流入させるようにして熱交換器の結露を防止するものであった。
【０００４】
【発明が解決しようとする課題】
ところでこの従来のものでは、循環回路中に必ずバイパス管及び流量調節弁装置を設けなければならず、多くの部品を必要としコスト高になり設備が大型化すると共に、放熱器に流れるはずの高温水の全部または一部をバイパスさせてしまうため、放熱器での放熱量が大幅に減少してしてしまうものであって、融雪または暖房の効率が非常に悪いものであった。
【０００５】
【問題点を解決するための手段】
本発明はこの点に着目し、上記欠点を解決する為、請求項１では特にその構成を、燃焼装置と熱交換器とを備え前記熱交換器と放熱器とを循環回路にて温水を循環可能に接続した温水循環式ボイラに於いて、前記放熱器の下流側に放熱器で放熱した温水の温度を検知する戻り温度センサを備え、該戻り温度センサが前記熱交換器に結露が発生する第１の所定温度以下を所定時間継続して検知した場合に前記燃焼装置の燃焼量を一段階増加し、戻り温度センサが検知する温度が前記第１の所定温度より高い第２の所定温度以上を所定時間継続して検知するまで、所定時間経過する毎に燃焼装置の燃焼量を一段階増加するものである。
【０００６】
また、請求項２では特にその構成を、前記請求項１のものに於いて、戻り温度センサが検知する温度が前記第１の所定温度より高い第２の所定温度以上を所定時間継続して検知した時、戻り温度センサが検知する温度が第２の所定温度以下を所定時間継続して検知するまで、所定時間経過する毎に燃焼装置の燃焼量を一段階減少させるものである。
【０００７】
また、請求項３では特にその構成を、燃焼装置と熱交換器とを備え前記熱交換器と放熱器とを循環回路にて温水を循環可能に接続し、前記熱交換器下流での往き温水の目標温度を設定する往き温水温度設定手段と、前記熱交換器の下流側に前記熱交換器から流出する往き温水の温度を検知する往き温度センサとを備え、前記往き温度センサで検知する温水温度が往き温水温度設定手段で設定された目標温度になるよう燃焼量を可変するようにした温水循環式ボイラに於いて、前記放熱器の下流側に放熱器で放熱した温水の温度を検知する戻り温度センサを備え、該戻り温度センサが前記熱交換器に結露が発生する第１の所定温度以下を所定時間継続して検知した場合に前記往き温水温度設定手段で設定された目標温度を所定温度増加させると共に、温水を循環させる循環ポンプの回転数を増加し、戻り温度センサが検知する温度が前記第１の所定温度より高い第２の所定温度以上を所定時間継続して検知するまで、所定時間経過する毎に往き温水温度の目標温度を所定温度増加させると共に、循環ポンプの回転数を増加するものである。
【０００８】
また、請求項４では特にその構成を、前記請求項３のものに於いて、戻り温度センサが検知する温度が前記第１の所定温度より高い第２の所定温度以上を所定時間継続して検知した時、戻り温度センサが検知する温度が第２の所定温度以下を所定時間継続して検知するまで、所定時間経過する毎に往き温水温度の目標温度を所定温度減少させると共に、循環ポンプの回転数を元に戻すものである。
【０００９】
【発明の実施の形態】
前記請求項１に係る発明によると、燃焼装置１４と熱交換器１３とを備え前記熱交換器１３と放熱器１４とを循環回路７にて温水を循環可能に接続した温水循環式ボイラ１に於いて、前記放熱器４の下流側に放熱器４で放熱した温水の温度を検知する戻り温度センサ２０を備え、該戻り温度センサ２０の検知する戻り温水温度が前記熱交換器１３に結露が発生する第１の所定温度（例えば３０℃）以下を所定時間継続すると、結露防止のために前記燃焼装置１４の燃焼量を一段階増加し、戻り温度センサが検知する温度が前記第１の所定温度より高い第２の所定温度以上を所定時間継続して検知するまで、所定時間経過する毎に燃焼装置の燃焼量を一段階増加することを繰り返して燃焼量を増加し、循環温水に与える熱量を増やすことによって戻り温水温度を結露が発生しない温度まで昇温させると共に、結露の発生しにくい高燃焼量側へ燃焼量を増加するので更に結露が発生しにくくなるものである。
【００１０】
また、前記請求項２に係る発明によると、燃焼量の増加に伴い戻り温度センサ１９の検知する戻り温水温度が前記第１の所定温度より高い第２の所定温度（ここでは４０℃）以上の４２℃まで上昇し所定時間以上経過したとすると、燃焼量を一段階減少させて上がりすぎた戻り温水温度を低下させるようにする。そして戻り温水温度が第２の所定温度（ここでは４０℃）以下を所定時間継続するまで所定時間毎に燃焼量を一段階減少させることを繰り返すので、戻り温水温度が前記熱交換器１２に結露を起こさせない温度になるよう制御して、結露が発生しにくい状態にあるのに高燃焼量で燃焼を継続してしまって無駄にエネルギーを消費してしまうことがなく、不要な温度上昇を防いで運転の適正化を図り無駄にする熱量を抑制し省エネルギーにも貢献するものである。
【００１１】
また、前記請求項３にかかる発明によると、燃焼装置１４と熱交換器１３とを備え前記熱交換器１３と放熱器４とを循環回路７にて温水を循環可能に接続し、前記熱交換器１３下流での往き温水の目標温度を設定する往き温水温度設定手段２９と、前記熱交換器１３の下流側に前記熱交換器１３から流出する温水の温度を検知する往き温度センサ１９とを備え、前記往き温度センサ１９で検知する温水温度が往き温水温度設定手段２９で設定された目標温度になるよう燃焼量を可変するようにした温水循環式ボイラ１に於いて、前記放熱器４の下流側に放熱器４で放熱した温水の温度を検知する戻り温度センサ２０を備え、該戻り温度センサ２０が前記熱交換器１３に結露が発生する第１の所定温度（例えば３０℃）以下を所定時間継続して検知した場合に、前記往き温水温度設定手段２９で設定された目標温度を数度（例えば５℃）だけ上げると共に、温水を循環させる循環ポンプの回転数を増加し、戻り温度センサが検知する温度が前記第１の所定温度より高い第２の所定温度以上を所定時間継続して検知するまで、所定時間経過する毎に往き温水温度の目標温度を所定温度上げることを繰り返すので、往き温度センサ１９の検知する温水温度が前記往き温水温度設定手段２９で設定された目標温度より低くなって燃焼装置１４は燃焼量を増加し、従って循環温水に与える熱量を増やすことによって戻り温水温度を結露が発生しない温度まで昇温させるものである。
このように、往き温水の目標温度を数度ずつ上げることで燃焼量を増加させて循環温水に与える熱量を増加すると共に、循環温水の循環速度を速めて放熱器４での放熱量を減らすことによって効率よく戻り温水温度を結露が発生しない温度まで昇温させ、結露の発生しにくい高燃焼量側へ燃焼量を増加するので更に結露が発生しにくくなり、また、往き温水の目標温度を戻り温水温度の状況を検知しながら数度ずつ段階的に上げていくので、結露防止のために最低限必要な熱量を適切に与えることができて省エネルギーであると共に、放熱器４により加熱される負荷に対して過剰に熱してしまうことを防止できるものである。
【００１２】
また、前記請求項４にかかる発明によると、前記請求項３のものに於いて、戻り温度センサが検知する温度が前記第１の所定温度より高い第２の所定温度以上を所定時間継続して検知した時、往き温水の目標温度を数度だけ下げ、同時に循環ポンプ１６の回転数を元の回転数に戻して、上がりすぎた戻り温水温度を低下させるようにする。そして戻り温水温度が第２の所定温度（ここでは４０℃）以下を所定時間継続するまで所定時間経過する毎に往き温水温度の目標温度を所定温度減少させると共に、循環ポンプの回転数を元に戻すことを繰り返すことで、戻り温水温度が前記熱交換器１２に結露を起こさせない温度になるよう制御して、結露が発生しにくい状態にあるのに高燃焼量で燃焼を継続してしまって無駄にエネルギーを消費してしまうことがなく、不要な温度上昇を防いで運転の適正化を図り無駄にする熱量を抑制し省エネルギーにも貢献するものである。
【００１３】
【実施例】
本発明の第１の実施例を図面に基づいて説明する。
図１に於いて、１は温水循環式のボイラであり、該ボイラ１で加熱された温水が往き管２及び往きヘッダー３を通過して地面に埋設された複数の融雪用の放熱器４に分流され、それぞれの融雪用の放熱器４を流通して歩道等に積もった雪を融かした後に、戻りヘッダー５で合流され、戻り管６を通過して再び前記ボイラ１へ循環流通する循環回路７を備えている。
【００１４】
８は前記ボイラ１の運転の発停を指示するリモートコントロール装置であり、運転スイッチ（図示せず）を有していると共に、降雪センサ制御部９と接続されている。この降雪センサ制御部９には、水検知センサ及び外気温センサ（共に図示せず）より構成され降雪の有無を検知する降雪センサ１０と、前記融雪用の放熱器４付近に埋設され地中温度を検出する地温センサ１１とが接続されており、該降雪センサ制御部９は雪が降り始めると前記ボイラ１の運転を開始するよう、また、その後地中温度が一定温度以上まで昇温され且つ降雪が止むと前記ボイラ１の運転を停止するように前記リモートコントロール装置８を介して前記ボイラ１へ指示するものである。
【００１５】
次に、前記ボイラ１について説明する。
図２に於いて、１２は前記戻り管６と接続され、融雪用の放熱器４で融雪に供されて温度の低下した温水が戻ってくる循環戻り口であり、１３は下部に燃焼装置１４を備え前記循環戻り口１２から戻ってきた温水を加熱する貫流式の熱交換器であり、１５は前記熱交換器１３から出湯する温水温度の均一化を図るミキシングタンクであり、１６は前記ミキシングタンク１５の下流側の循環回路７中に位置し温水を循環させる循環ポンプであり、１７は前記往き管２と接続され、前記熱交換器１３で加熱された温水を融雪用の放熱器４へ流す循環往き口であり、１８は加熱された温水の膨張を吸収する膨張タンクであり、１９は前記熱交換器１３の下流側に設けられて熱交換器１３から出て行く温水の温度を検知する往き温度センサであり、２０は前記放熱器４の下流側に設けられて前記熱交換器１３に流入する温水の温度を検知する戻り温度センサである。
【００１６】
前記燃焼装置１４は、気化ヒータ２１で加熱された気化器２２に灯油を燃料ポンプ２３で噴霧して気化し、この気化ガスと燃焼用送風機２４からの燃焼用空気とを混合してバーナヘッド２５で燃焼させ、燃焼ガスを前記貫流式の熱交換器１３を通過させて温水を加熱し、前記熱交換器１３上部に設けられた排気トップ２６から排気するもので、この燃焼装置１４は前記燃料ポンプ２３及び燃焼用送風機２４をそれぞれ能力制御して燃焼量を可変できるものである。
尚、ここでは燃料に灯油を用いた燃焼装置１４としたが、これに限らずガス燃料を用いる燃焼量可変のガスバーナでもよいもので、また、前記熱交換器１３は貫流式のものとしたが、これに限らずフィンチューブ式の熱交換器でもよいものである。
【００１７】
２７はマイクロコンピュータ２８を主体としてこのボイラ１の制御を行う制御装置で、前記リモートコントロール装置８と往き温度センサ１９と戻り温度センサ２０からの入力を受け、前記気化ヒータ２１と燃料ポンプ２３と燃焼用送風機２４と循環ポンプ１６を駆動制御するもので、この制御装置２７の機能の一つとして後述する結露防止制御を行うものである。
【００１８】
次に、この第１の実施例の結露防止制御装置の作動を図４のフローチャートに基づいて説明する。
まず、ステップ１（以下Ｓ１と略す）で前記戻り温度センサ２０の検知する融雪用の放熱器４を流通して温度低下した温水の温度が、前記熱交換器１３に結露が発生する可能性の高い第１の所定温度（ここでは３０℃）以下で所定時間継続したかをチェックする。今、例えば戻り温水温度が２６℃を所定時間継続したとすると前記Ｓ１で「Yes」で次のＳ２に進み、現在の燃焼量が最大燃焼量であるかどうかをチェックする。最大燃焼量でない場合は、前記Ｓ２で「No」であるので、次のＳ３へ進み燃焼量を一段階増加する。
【００１９】
前記Ｓ３で燃焼量を増加したので循環温水に与えられる熱量が多くなり、従って融雪用の放熱器４から戻ってくる温水の温度も上昇する。
ここで例えば戻り温水温度が３℃上昇して２９℃になったとすると、Ｓ４で温水の戻り温度が前記第１の所定温度より高い第２の所定温度（ここでは４０℃）以上を所定時間継続したかをチェックし、ここでは戻り温水温度は２９℃であるので、前記Ｓ４で「No」となり、前記Ｓ１へ戻る。このＳ１では、戻り温水温度は２９℃で所定時間継続したとすると、再びＳ２〜Ｓ４のステップを繰り返し燃焼量を増加し、循環温水に与える熱量を増やすことによって戻り温水温度を結露が発生しない温度まで昇温させると共に、結露の発生しにくい高燃焼量側へ燃焼量を増加するので更に結露が発生しにくくなるものである。
【００２０】
このとき燃焼量の増加に伴い前記戻り温度センサ１９の検知する戻り温水温度が４２℃まで上昇し所定時間以上経過したとすると、前記Ｓ４で「Yes」となり、次のＳ５へ進み、燃焼量を一段階減少させて上がりすぎた戻り温水温度を低下させるようにする。そして戻り温水温度が第２の所定温度（ここでは４０℃）以下を所定時間継続するまでＳ４及びＳ５を繰り返し、再びＳ１のステップに戻ることで、戻り温水温度が前記熱交換器１２に結露を起こさせない温度になるよう制御して、結露が発生しにくい状態にあるのに高燃焼量で燃焼を継続してしまって無駄にエネルギーを消費してしまうことがなく、不要な温度上昇を防いで運転の適正化を図り無駄にする熱量を抑制し省エネルギーにも貢献するものである。
【００２１】
ここで、結露防止のため燃焼量を最大にまで増加しても、戻り温水温度が前記熱交換器１３に結露が発生する可能性の高い第１の所定温度（ここでは３０℃）以下を所定時間継続してしまう場合、前記Ｓ２で「Yes」となり、Ｓ６の燃焼停止のステップへ進み、燃料ポンプ２３及び燃焼用送風機２４を駆動停止して燃焼を停止するので、結露が発生している状態で長時間運転を継続することがなく燃焼装置１４及び熱交換器１３の破損や腐触を未然に防ぐことができ、また、結露以外の何等かの異常に対しても安全である。
【００２２】
よって、従来のように往き管の高温水を戻り管の低温水に混合させるためのバイパス管及び弁装置を必要とせずコスト安であり、簡単な制御によって熱交換器１３の結露を確実に防止することができて結露水による燃焼装置１４や熱交換器１３の破損や腐触を起こすことがないと共に、放熱器４には全温水が流通するので、放熱器４での放熱量が大幅に減少するようなこともなく、融雪や暖房の効率を低下させることがないという優れた効果を有するものである。
【００２３】
次に、本発明の第２の実施例について説明する。尚、前記第１の実施例と同一のものには同一の符号を付して説明を省略する。
この第２の実施例では、前記循環ポンプ１６は回転数可変型のもの（例えば駆動モータに対し位相制御や巻線数切換等を行うことにより回転数可変可能）が用いられているほか、前記リモートコントロール装置８は、往き温水温度設定手段２９を備えており、前記熱交換器１３から流出する往き温水の目標温度を数度刻み（例えば５℃刻み）で手動または使用条件に応じて自動で設定可能としている。
【００２４】
前記制御装置２７は、往き温水温度が前記往き温水温度設定手段２９で設定された目標温度になるように、前記往き温度センサ１９の検知する温水温度に基づき前記燃料ポンプ２３及び燃焼用送風機２４を制御して燃焼量を増減する。すなわち、往き温度センサ１９の検知する温水温度が前記往き温水温度設定手段２９で設定された目標温度より低ければ燃焼量を増加し、また、高ければ燃焼量を減少するものである。
【００２５】
次に、この第２の実施例の結露防止制御装置の作動を図６のフローチャートに基づいて説明する。
まず、ステップ７で前記戻り温度センサ２０の検知する融雪用の放熱器４を流通して温度低下した温水の温度が、前記熱交換器１３に結露が発生する可能性の高い第１の所定温度（ここでは３０℃）以下を所定時間継続したかをチェックする。今、例えば戻り温水温度が２６℃を所定時間継続したとすると前記Ｓ７で「Yes」で次のＳ８に進み、現在の往き温水の目標温度が最高設定温度であるかどうかをチェックする。最高設定温度でない場合は、前記Ｓ８で「No」であるので、次のＳ９へ進み往き温水温度設定手段２９が往き温水の目標温度を数度だけ上げる。例えば、往き温水の目標温度が６０℃であったのを５℃上げて６５℃にする。更に、次のＳ１０で前記循環ポンプ１６の回転数を上げて、温水の循環速度を上げる。
【００２６】
前記Ｓ９で往き温水の目標温度を数度だけ上げたので、前記制御装置２７は前記往き温度センサ１９の検知する温水温度を目標温度（ここでは例えば６５℃）になるよう燃焼量を増加して循環温水に与える熱量を多くし、従って融雪用の放熱器４から戻ってくる温水の温度も上昇する。
【００２７】
また、前記Ｓ１０で前記循環ポンプ１６の回転数を上げたので、前記融雪用の放熱器４内を流通する時間が短くなって放熱器４内で循環温水から放熱する熱量が少なくなり、従って融雪用の放熱器４から戻ってくる温水の温度も上昇する。
【００２８】
今、例えば戻り温水温度が３℃上昇して２９℃になったとする。そして、次のＳ１１では温水の戻り温度が前記第１の所定温度より高い第２の所定温度（ここでは４０℃）以上を所定時間継続したかをチェックする。ここでは戻り温水温度は２９℃であるので、前記Ｓ１１で「No」となり、前記Ｓ７へ戻る。このＳ７では、戻り温水温度は２９℃で所定時間継続すると、再びＳ８〜Ｓ１１を繰り返し往き温水の目標温度を数度ずつ上げる。
【００２９】
このように、往き温水の目標温度を数度ずつ上げることで燃焼量を増加させて循環温水に与える熱量を増やすると共に、循環温水の循環速度を速めて放熱器４での放熱量を減らすことによって効率よく戻り温水温度を結露が発生しない温度まで昇温させ、結露の発生しにくい高燃焼量側へ燃焼量を増加するので更に結露が発生しにくくなるものである。
【００３０】
また、往き温水の目標温度を戻り温水温度の状況を検知しながら数度ずつ段階的に上げていくので、結露防止のために最低限必要な熱量を適切に与えることができて省エネルギーであると共に、放熱器４により加熱される負荷に対して過剰に熱してしまうことを防止できるものである。（融雪ではなく、暖房用に本発明を用いた場合には、過剰暖房を防止できるという優れた効果を奏するものである。）
【００３１】
そして往き温水の目標温度を高く設定したことに伴い前記戻り温度センサ１９の検知する戻り温水温度が４２℃まで上昇し所定時間以上経過したとすると、前記Ｓ１１で「Yes」となり、次のＳ１２へ進み、往き温水の目標温度を数度だけ下げ、同時にＳ１３で循環ポンプ１６の回転数を元の回転数に戻して、上がりすぎた戻り温水温度を低下させるようにする。そして戻り温水温度が第２の所定温度（ここでは４０℃）以下を所定時間継続するまでＳ１１〜Ｓ１３を繰り返し、再びＳ７のステップに戻ることで、戻り温水温度が前記熱交換器１２に結露を起こさせない温度になるよう制御して、結露が発生しにくい状態にあるのに高燃焼量で燃焼を継続してしまって無駄にエネルギーを消費してしまうことがなく、不要な温度上昇を防いで運転の適正化を図り無駄にする熱量を抑制し省エネルギーにも貢献するものである。
【００３２】
ここで、結露防止のため往き温水の目標温度を最高設定温度（ここでは８０℃が最高設定温度）に設定しても、戻り温水温度が前記熱交換器１３に結露が発生する可能性の高い第１の所定温度（ここでは３０℃）以下を所定時間継続してしまう場合、前記Ｓ８で「Yes」となり、Ｓ１４の燃焼停止のステップへ進み、燃料ポンプ２３及び燃焼用送風機２４を駆動停止して燃焼を停止するので、結露が発生している状態で長時間運転を継続することがなく燃焼装置１４及び熱交換器１３の破損や腐触を未然に防ぐことができ、また、結露以外の何等かの異常に対しても安全である。
【００３３】
よって、従来のように往き管の高温水を戻り管の低温水に混合させるためのバイパス管及び弁装置を必要とせずコスト安であり、簡単な制御によって熱交換器１３の結露を確実に防止することができて結露水による燃焼装置１４や熱交換器１３の破損や腐触を起こすことがないと共に、放熱器１４には全温水が流通するので、放熱器４での放熱量が大幅に減少するようなこともなく、融雪や暖房の効率を低下させることがないという優れた効果を有するものである。
【００３４】
尚、第１、第２の実施例共に融雪用の温水循環式ボイラとして説明したが、本発明はこれに限らず暖房用に用いることもでき、例えば放熱器４として家屋床材内に蛇行して配設した温水パイプを用いた床暖房システムや、また、放熱器４として室内に設置したファンコンベクタやパネルラジエータ等により暖房を行う温風暖房装置にも本発明は有用なものである。
【００３５】
【発明の効果】
以上のように請求項１の発明によれば、戻り温度センサが検知する温度が前記第１の所定温度より高い第２の所定温度以上を所定時間継続して検知するまで、所定時間経過する毎に燃焼装置の燃焼量を一段階増加することを繰り返して燃焼量を増加することで、循環温水に与える熱量を増やすことによって戻り温水温度を結露が発生しない温度まで昇温させると共に、結露の発生しにくい高燃焼量側へ燃焼量を増加するので更に結露が発生しにくくなるものである。
また、従来のように往き管の高温水を戻り管の低温水に混合させるためのバイパス管及び弁装置を必要とせずコスト安であり、簡単な制御によって熱交換器の結露を確実に防止することができて結露水による燃焼装置や熱交換器の破損や腐触を起こすことがないと共に、放熱器には全温水が流通するので、放熱器での放熱量が大幅に減少するようなこともなく、融雪や暖房の効率を低下させることがないという優れた効果を有するものである。
また、請求項２の発明によれば、戻り温水温度が第２の所定温度以下を所定時間継続するまで所定時間毎に燃焼量を一段階減少させることを繰り返すので、戻り温水温度が前記熱交換器に結露を起こさせない温度になるよう制御して、結露が発生しにくい状態にあるのに高燃焼量で燃焼を継続してしまって無駄にエネルギーを消費してしまうことがなく、不要な温度上昇を防いで運転の適正化を図り無駄にする熱量を抑制し省エネルギーにも貢献するものである。
また、請求項３の発明によれば、往き温水の目標温度を数度ずつ上げることを繰り返すことで燃焼量を増加させて循環温水に与える熱量を増加すると共に、循環温水の循環速度を速めて放熱器での放熱量を減らすことによって効率よく戻り温水温度を結露が発生しない温度まで昇温させ、結露の発生しにくい高燃焼量側へ燃焼量を増加するので更に結露が発生しにくくなり、また、往き温水の目標温度を戻り温水温度の状況を検知しながら数度ずつ段階的に上げていくので、結露防止のために最低限必要な熱量を適切に与えることができて省エネルギーであると共に、放熱器により加熱される負荷に対して過剰に熱してしまうことを防止できるものである。
また、請求項４の発明によれば、戻り温水温度が第２の所定温度以下を所定時間継続するまで所定時間経過する毎に往き温水温度の目標温度を所定温度減少させると共に、循環ポンプの回転数を元に戻すことを繰り返すことで、戻り温水温度が前記熱交換器に結露を起こさせない温度になるよう制御して、結露が発生しにくい状態にあるのに高燃焼量で燃焼を継続してしまって無駄にエネルギーを消費してしまうことがなく、不要な温度上昇を防いで運転の適正化を図り無駄にする熱量を抑制し省エネルギーにも貢献するものである。
【図面の簡単な説明】
【図１】この発明の第１の実施例の概略構成図。
【図２】同第１の実施例のボイラの概略構成図。
【図３】同第１の実施例の制御装置のブロック図。
【図４】同第１の実施例の作動を示すフローチャート。
【図５】同第２の実施例の制御装置のブロック図。
【図６】同第２の実施例の作動を示すフローチャート。
【符号の説明】
１  ボイラ
４  放熱器
７  循環回路
１３  熱交換器
１４  燃焼装置
１９  往き温度センサ
２０  戻り温度センサ
２９  往き温水温度設定手段
【図１】
0003898407.tif 000002
【図２】
0003898407.tif 000003
【図３】
0003898407.tif 000004
【図４】
0003898407.tif 000005
【図５】
0003898407.tif 000006
【図６】
0003898407.tif 000007